(57)【要約】【課題】光ディスク装置において、不正コピーを防止するとともに、合法な範囲の私的なコピーを可能にする。【解決手段】光ディスクにはコンテンツが暗号化されて記録されており、さらに光ディスクに埋め込まれたＲＦタグＩＣに暗号鍵と複製可能回数を含む複製管理情報が記録されている。光ディスクの複製においては、複製可能回数が１以上であれば、プレーヤは、光ディスクからコンテンツと複製管理情報を読み出し、複製可能回数を１減じて出力する。レコーダは、光ディスクに暗号化されたコンテンツをそのまま書き込み、複製管理情報をＲＦタグＩＣに書き込む。さらにＩＤデバイスからユーザを特定する固有ＩＤを取得し、許可ＩＤとして光ディスク上のＲＦタグＩＣに書き込む。プレーヤは再生時に、ＲＦタグＩＣに記録された許可ＩＤと固有ＩＤにより認証を行う。【選択図】  図５
2004296006.tif 000002
【特許請求の範囲】
【請求項１】
コンテンツと、コンテンツの複製管理を行うための複製管理情報とを格納した光ディスクであって、
前記複製管理情報は、前記コンテンツとは異なるアクセス方法を用いることを特徴とする光ディスク。
【請求項２】
前記コンテンツは、暗号化されて記録されていることを特徴とする、請求項１記載の光ディスク。
【請求項３】
前記複製管理情報は、無線通信によりアクセスされることを特徴とする、請求項１記載の光ディスク。
【請求項４】
コンテンツと、コンテンツの複製管理を行うための複製管理情報とを格納した光ディスクにアクセスするために、
前記コンテンツにアクセスするコンテンツアクセス手段と、前記複製管理情報にアクセスする複製管理情報アクセス手段とを有する光ディスク装置であって、
前記複製管理情報アクセス手段は、前記コンテンツアクセス手段とは異なるアクセス方法を用いることを特徴とする光ディスク装置。
【請求項５】
前記コンテンツは、暗号化されて記録されているものであって、
前記コンテンツアクセス手段の読み出したコンテンツを復号化する復号化手段を備えたことを特徴とする、請求項４記載の光ディスク装置。
【請求項６】
前記複製管理情報アクセス手段は、無線通信により複製管理情報にアクセスすることを特徴とする、請求項４記載の光ディスク装置。
【請求項７】
前記複製管理情報は、前記コンテンツの複製可能回数を含んでいるものであって、
前記複製管理情報アクセス手段は、複製可能回数を読み出し、更新して記録することを特徴とする、請求項４記載の光ディスク装置。
【請求項８】
前記複製管理情報は、前記コンテンツの所有者を特定するための許可ＩＤを含んでいるものであって、
前記コンテンツの所有者を特定するための固有ＩＤを取得する固有ＩＤ取得手段と、前記固有ＩＤから許可ＩＤを生成し、許可ＩＤを前記複製管理情報に記録する許可ＩＤ記録手段とを備えたことを特徴とする、請求項４記載の光ディスク装置。
【請求項９】
前記複製管理情報は、前記コンテンツの所有者を特定するための許可ＩＤを含んでいるものであって、
前記コンテンツの利用者を特定するための固有ＩＤを取得する固有ＩＤ取得手段と、
前記複製管理情報アクセス手段から許可ＩＤを取得し、この許可ＩＤと前記固有ＩＤ取得手段から取得した固有ＩＤとで認証を行い、認証の成否によって、前記コンテンツアクセス手段によるコンテンツへのアクセスを制御する許可ＩＤ認証手段とを備えたことを特徴とする、請求項４記載の光ディスク装置。
【請求項１０】
コンテンツと、コンテンツの複製管理を行うための複製可能回数を含む複製管理情報とを格納した光ディスクにアクセスする複製管理装置であって、
ユーザの希望する複製可能回数を購入複製数として入力するための入力手段と、前記購入複製数を集計する購入複製数集計手段と、
集計した購入複製数を出力する出力手段と、
前記購入複製数を複製可能回数として前記複製管理情報に記録する複製管理情報アクセス手段とを備えたことを特徴とする複製管理装置。
【請求項１１】
前記複製管理情報アクセス手段は、無線通信により前記複製管理情報にアクセスすることを特徴とする、請求項１０記載の複製管理装置。
【請求項１２】
コンテンツと、コンテンツの複製管理を行うための複製管理情報とを格納した光ディスクにアクセスするために、コンピュータを、
前記コンテンツにアクセスするコンテンツアクセス手段と、前記複製管理情報にアクセスする複製管理情報アクセス手段として機能させるためのプログラムであって、
前記複製管理情報アクセス手段は、前記コンテンツアクセス手段とは異なるアクセス方法を用いることを特徴とするプログラム。
【請求項１３】
コンテンツと、コンテンツの複製管理を行うための複製可能回数を含む複製管理情報とを格納した光ディスクにアクセスするために、コンピュータを、
ユーザの希望する複製可能回数を購入複製数として入力するための入力手段と、
前記購入複製数を集計する購入複製数集計手段と、
集計した購入複製数を出力する出力手段と、
前記購入複製数を複製可能回数として複製管理情報に記録する複製管理情報アクセス手段として機能させることを特徴とするプログラム。
【請求項１４】
コンテンツと、コンテンツの複製管理を行うための複製管理情報とを格納した光ディスクにアクセスする方法に係わるプログラムを記録したコンピュータ読み取り可能な記録媒体であって、
前記コンテンツにアクセスするコンテンツアクセスステップと、
前記コンテンツアクセスステップとは異なるアクセス方法を用いて、前記複製管理情報にアクセスする複製管理情報アクセスステップとをコンピュータに実行させるプログラムを記録していることを特徴とする記録媒体。
【請求項１５】
コンテンツと、コンテンツの複製管理を行うための複製可能回数を含む複製管理情報とを格納した光ディスクにアクセスする方法に係わるプログラムを記録したコンピュータ読み取り可能な記録媒体であって、
ユーザの希望する複製可能回数を購入複製数として入力するための入力ステップと、
前記購入複製数を集計する購入複製数集計ステップと、
集計した購入複製数を出力する出力ステップと、
前記購入複製数を複製可能回数として前記複製管理情報に記録する複製管理情報アクセスステップとをコンピュータに実行させるプログラムを記録していることを特徴とする記録媒体。
【発明の詳細な説明】
【０００１】
【発明の属する技術分野】
本発明は光ディスクなどを媒体として、音楽コンテンツ、映像コンテンツ、ソフトウェアプログラムなどの著作物の一般への配布、販売、レンタルを行う際の複製管理（不正コピー防止）、課金管理を行う装置に関する。
【０００２】
【従来の技術】
近年、ＣＤなどの記録媒体にデジタル記録されたコンテンツは、ＣＤ−ＲＯＭドライブを用いてデジタル読み出ししＣＤ−Ｒドライブなどを用いて複製を制作し、他人に譲渡・販売する不正コピーの横行が社会問題となっている。ＣＤなどデジタル記録する媒体では、複製しても品質の劣化が起きない上、パソコンやＣＤ−Ｒの普及によって特別な設備や知識がなくとも安価に不正コピーが行えるため、特に問題視されている。
これに対し、従来、光ディスクなどの記録媒体にデジタル記録されたコンテンツの不正コピー防止は、光ディスク上の特定の場所にＩＤチップを設け、ＩＤチップに書き込まれた複製可能回数を複製の度に減じて上書き更新し、複製可能回数が０であれば複製を禁止する方法が知られている（例えば特許文献１参照）。
【０００３】
【特許文献１】
特開２００２−１７５６６３号公報（第５頁、第１図）
【０００４】
図１４は従来の光ディスクの構造を示しており、光ディスク１４０１は、コンテンツ記録領域１４０２、ＩＤチップ１４０３で構成されている。
コンテンツ記録領域１４０２は、記録済み光ディスクにおいては著作権者から配布されたコンテンツの記録領域であり、従来のＣＤ−ＲＯＭなどと同様のものである。記録可能光ディスクにおいてはユーザがコンテンツを記録するための領域であり、従来のＣＤ−ＲＷなどと同様のものである。
ＩＤチップ１４０３は、コンテンツ記録領域１４０２に記録されたコンテンツの複製可能回数とＩＤコードなどを記録する半導体チップである。このＩＤチップ１４０３は、光ディスクドライブのレーザービックアップが照射するレーザーを受光することで発電し、これを電源としてＩＤチップ１４０３内の発光素子を駆動して、記録されているデータを光ディスクドライブのレーザーピックアップに読み取らせるものである。
【０００５】
図１５は従来の技術によるコンテンツの合法的な複製の手順を示したものである。
１５０１は音楽コンテンツなどを記録した光ディスクを生産・販売するレコード販売会社、１５０２はレコード販売会社１５０１によって販売された記録済み光ディスク、１５０３は記録済み光ディスク１５０２に記録されたコンテンツを再生するためのプレーヤ、１５０４は記録可能光ディスク１５０５にコンテンツを記録するレコーダ、１５０５は複製されたコンテンツを記録する記録可能光ディスクである。記録済み光ディスク１５０２を複製するために、プレーヤ１５０３とレコーダ１５０４は接続されている。プレーヤ１５０３とレコーダ１５０４はどちらも光ディスクドライブであるが、再生、記録といった光ディスクを複製する上での役割の違いから、「プレーヤ」、「レコーダ」と区別して説明している。
【０００６】
この従来の技術によるＣＤなどの著作権によって保護されたコンテンツの複製は次のようにして行われる。
まずレコード販売会社１５０１は、コンテンツ記録領域１４０２にコンテンツを記録し（１５１１）、ＩＤチップ１４０３にあらかじめ決められた複製可能回数とＩＤコードを記録して（１５１２）、記録済み光ディスク１５０２を制作し販売する。
ユーザは記録済み光ディスク１５０２を購入し、プレーヤ１５０３に挿入する。またプレーヤ１５０３に接続したレコーダ１５０４に記録可能光ディスク１５０５を挿入し、プレーヤ１５０３とレコーダ１５０４に複製開始を指示する。
プレーヤ１５０３は複製開始を指示されると、記録済み光ディスク１５０２のＩＤチップよりＩＤコードを読み出す。
記録済み光ディスク１５０２のＩＤチップ１４０３は、複製可能回数が１以上である場合は複製が許可されているものと判断して、自身に記録されているＩＤコードを出力する。さらに複製可能回数を１減じて自身に記録する。複製可能回数がすでに０であった場合には、これ以上複製は許可されていないものと判断してＩＤコードを出力しない（１５１３）。
【０００７】
プレーヤ１５０３は、有効なＩＤコードが得られると、記録済み光ディスク１５０２のコンテンツ記録領域１４０２に記録されたコンテンツをデジタル読み出ししてレコーダ１５０４に出力する（１５１４）。有効なＩＤコードが得られない場合には、記録済み光ディスク１５０２は複製許可されていないものと判断して、複製は中断される。
レコーダ１５０４は、プレーヤ１５０３から入力されたコンテンツを記録可能光ディスク１５０５のコンテンツ記録領域１４０２に記録する（１５１５）。
このようにして、著作権で保護されたコンテンツの複製管理を行っている。
【０００８】
【発明が解決しようとする課題】
このような従来の複製管理方法では、記録済み光ディスク１５０２のＩＤチップ１４０３はコンテンツ記録領域１４０２と同じくレーザーピックアップを利用して複製可能回数などの複製管理情報を読み書きしているために、複製管理情報へのアクセスが容易であり、複製管理情報ごとコピーすることで容易に不正コピーが行えるという欠点がある。また、コンテンツはコンテンツ記録領域１４０２にそのまま記録されているため、記録済み光ディスク１５０２のＩＤチップ１４０３にはいっさいアクセスせず、コンテンツ記録領域１４０２のみを読み出すことでも容易に不正コピーが行える。
また、バックアップの作成や、ＣＤからＳＤメモリカードへの複製のように異なるメディアへの複製など、個人で利用する範囲に限った私的な複製は合法な行為であるが、このような合法な複製の作成によっても複製可能回数が減じられる、つまり課金対象となるため、ユーザにとって利便性が悪いという欠点がある。
【０００９】
【課題を解決するための手段】
この課題を解決するために、光ディスクに関する第１の発明は、コンテンツと、コンテンツの複製管理を行うための複製管理情報とを格納した光ディスクであって、前記複製管理情報は、前記コンテンツとは異なるアクセス方法を用いることを特徴とする。
第２の発明は、第１の発明において、前記コンテンツは、暗号化されて記録されていることを特徴とする。
第３の発明は、第１の発明において、前記複製管理情報は、無線通信によりアクセスされることを特徴とする。
【００１０】
また、光ディスク装置に関する第４の発明は、コンテンツと、コンテンツの複製管理を行うための複製管理情報とを格納した光ディスクにアクセスするために、前記コンテンツにアクセスするコンテンツアクセス手段と、前記複製管理情報にアクセスする複製管理情報アクセス手段とを有する光ディスク装置であって、前記複製管理情報アクセス手段は、前記コンテンツアクセス手段とは異なるアクセス方法を用いることを特徴とする。
第５の発明は、第４の発明において、前記コンテンツは、暗号化されて記録されているものであって、前記コンテンツアクセス手段の読み出したコンテンツを復号化する復号化手段を備えたことを特徴とする。
第６の発明は、第４の発明において、前記複製管理情報アクセス手段は、無線通信により複製管理情報にアクセスすることを特徴とする。
第７の発明は、第４の発明において、前記複製管理情報は、前記コンテンツの複製可能回数を含んでいるものであって、前記複製管理情報アクセス手段は、複製可能回数を読み出し、更新して記録することを特徴とする。
第８の発明は、第４の発明において、前記複製管理情報は、前記コンテンツの所有者を特定するための許可ＩＤを含んでいるものであって、前記コンテンツの所有者を特定するための固有ＩＤを取得する固有ＩＤ取得手段と、前記固有ＩＤから許可ＩＤを生成し、許可ＩＤを前記複製管理情報に記録する許可ＩＤ記録手段とを備えたことを特徴とする。
第９の発明は、第４の発明において、前記複製管理情報は、前記コンテンツの所有者を特定するための許可ＩＤを含んでいるものであって、前記コンテンツの利用者を特定するための固有ＩＤを取得する固有ＩＤ取得手段と、前記複製管理情報アクセス手段から許可ＩＤを取得し、この許可ＩＤと前記固有ＩＤ取得手段から取得した固有ＩＤとで認証を行い、認証の成否によって、前記コンテンツアクセス手段によるコンテンツへのアクセスを制御する許可ＩＤ認証手段とを備えたことを特徴とする。
【００１１】
さらに、複製管理装置に関する第１０の発明は、コンテンツと、コンテンツの複製管理を行うための複製可能回数を含む複製管理情報とを格納した光ディスクにアクセスする複製管理装置であって、ユーザの希望する複製可能回数を購入複製数として入力するための入力手段と、前記購入複製数を集計する購入複製数集計手段と、集計した購入複製数を出力する出力手段と、前記購入複製数を複製可能回数として前記複製管理情報に記録する複製管理情報アクセス手段とを備えたことを特徴とする。
第１１の発明は、第１０の発明において、前記複製管理情報アクセス手段は、無線通信により前記複製管理情報にアクセスすることを特徴とする。
【００１２】
また、プログラムに関する第１２の発明は、コンテンツと、コンテンツの複製管理を行うための複製管理情報とを格納した光ディスクにアクセスするために、コンピュータを、前記コンテンツにアクセスするコンテンツアクセス手段と、前記複製管理情報にアクセスする複製管理情報アクセス手段として機能させるためのプログラムであって、前記複製管理情報アクセス手段は、前記コンテンツアクセス手段とは異なるアクセス方法を用いることを特徴とする。
第１３の発明は、コンテンツと、コンテンツの複製管理を行うための複製可能回数を含む複製管理情報とを格納した光ディスクにアクセスするために、コンピュータを、ユーザの希望する複製可能回数を購入複製数として入力するための入力手段と、前記購入複製数を集計する購入複製数集計手段と、集計した購入複製数を出力する出力手段と、前記購入複製数を複製可能回数として複製管理情報に記録する複製管理情報アクセス手段として機能させることを特徴とする。
【００１３】
また、記録媒体に関する第１４の発明は、コンテンツと、コンテンツの複製管理を行うための複製管理情報とを格納した光ディスクにアクセスする方法に係わるプログラムを記録したコンピュータ読み取り可能な記録媒体であって、前記コンテンツにアクセスするコンテンツアクセスステップと、前記コンテンツアクセスステップとは異なるアクセス方法を用いて、前記複製管理情報にアクセスする複製管理情報アクセスステップとをコンピュータに実行させるプログラムを記録していることを特徴とする。
第１５の発明は、コンテンツと、コンテンツの複製管理を行うための複製可能回数を含む複製管理情報とを格納した光ディスクにアクセスする方法に係わるプログラムを記録したコンピュータ読み取り可能な記録媒体であって、ユーザの希望する複製可能回数を購入複製数として入力するための入力ステップと、前記購入複製数を集計する購入複製数集計ステップと、集計した購入複製数を出力する出力ステップと、前記購入複製数を複製可能回数として前記複製管理情報に記録する複製管理情報アクセスステップとをコンピュータに実行させるプログラムを記録していることを特徴とする。
【００１４】
【発明の実施の形態】
以下、本発明の実施の形態について、図１から図１３を用いて説明する。
（実施の形態１）
図１は本実施の形態で用いる光ディスクの構成を示した図である。（ａ）に示す光ディスク１０１は、暗号化されたコンテンツを記録したコンテンツ記録領域１０２、複製管理情報を記録するＲＦタグＩＣ１０３、ＲＦタグＩＣ１０３に電力を供給し、さらにＲＦタグＩＣ１０３が通信を行うためのアンテナ１０４で構成される。
（ｂ）は別の形態の光ディスクの構造を示しており、図１（ａ）と同じ構成要素については同じ番号を付してある。（ｂ）に示す光ディスク１１１は、コンテンツ記録領域１０２、複製管理情報を記録する磁気テープ１１２から構成される。図１（ａ）と（ｂ）に示した光ディスク１０１は複製管理情報を記録する媒体の物理的形態が異なるのみである。
光ディスク１０１、１１１のコンテンツ記録領域１０２は、既存のＣＤやＤＶＤと同様に、生産時に音楽タイトルや映画タイトルなどのコンテンツをプレスで記録したリードオンリーなものだけでなく、ＣＤ−ＲやＤＶＤ−Ｒなどのように書き込みのできるもの、ＣＤ−ＲＷやＤＶＤ−ＲＡＭのように自由に消去・書き込みができるものなどである。
【００１５】
図１（ａ）では、アンテナ１０４はコンテンツ記録領域１０２の内側に沿って円形に搭載されているが、コンテンツ記録領域１０２の外側に沿って円形に搭載するなど、電力の供給と通信の行いやすい形であれば他の形でもよい。
図２は本実施の形態で用いる光ディスクドライブの構成を示した図である。光ディスクドライブ２０１は、従来のＣＤ−ＲドライブやＣＤ−ＲＷドライブと同じ構成である既存ＣＤ−ＲＷ構成部２０２に、複製制御部２０３を追加した構成である。
既存ＣＤ−ＲＷ構成部２０２は、全体の動作を制御するコントローラ２０４、光ディスクを所定の回転数で回転させるスピンドルモータや、光ディスクに対してレーザーを用いてコンテンツを読み書きするレーザーピックアップ等から構成されるコンテンツアクセス部２０５、光ディスクにデジタル記録されたコンテンツをアナログ信号に変換して出力するアナログＩ／Ｆ２０６、光ディスクドライブ２０１につながれた外部の機器からコマンドを受け取ったりデジタルデータを入出力するためのデジタルＩ／Ｆ２０７で構成される。
複製制御部２０３は、光ディスクに記録された複製管理情報を読み書きするための複製管理情報アクセス部２０８、暗号化されたコンテンツを復号化する復号部２０９で構成される。
【００１６】
複製管理情報アクセス部２０８は、図１（ａ）に示す光ディスク１０１に対応する光ディスクドライブにおいては、光ディスク１０１上のＲＦタグＩＣ１０３と通信を行うものであり、図１（ｂ）に示す光ディスク１１１に対応する光ディスクドライブにおいては、光ディスク１１１上の磁気テープ１１２を読み書きする磁気テープリーダライタである。
【００１７】
図３は本実施の形態で用いる複製管理装置の構成を示した図である。複製管理装置３０１は、複製管理装置３０１全体の動作を制御するコントローラ３０２、オペレータが操作するためのユーザＩ／Ｆ３０３、ネットワークに接続するためのネットワークＩ／Ｆ３０４、光ディスクの複製管理情報を読み書きするための複製管理情報アクセス部３０５、ユーザが複製を希望する回数である購入複製数を集計・記録する購入複製数集計部３０６で構成される。
複製管理情報アクセス部３０５は、図２に示した光ディスクドライブの複製管理情報アクセス部２０８と同じく、図１（ａ）に示す光ディスク１０１に対応する光ディスクドライブにおいては、光ディスク１０１上のＲＦタグＩＣ１０３と通信を行うものであり、図１（ｂ）に示す光ディスク１１１に対応する光ディスクドライブにおいては、光ディスク１１１上の磁気テープ１１２を読み書きする磁気テープリーダライタである。
【００１８】
図４はＲＦタグＩＣ１０３または磁気テープ１１２に書き込まれる複製管理情報のデータ構造を示したものである。複製管理情報４０１は、コンテンツ記録領域１０２に書き込まれているコンテンツを識別するためのコンテンツＩＤ４０２、コンテンツ記録領域１０２に書き込まれているコンテンツの複製を許可された回数である複製可能回数４０３、コンテンツを暗号化する際に用いた暗号鍵４０４、複製に対する料金などの課金情報４０５、および後述する許可ＩＤ４０６で構成される。
【００１９】
次に、ユーザが記録済みの光ディスクを複製する手順について説明する。
図５は本実施の形態の記録済みの光ディスクを複製する手順を示した図である。図１５と同じ構成要素については説明を省略し、同じ番号を付してある。
５０１は音楽コンテンツなどを記録した光ディスクを生産・販売するレコード販売会社、５０２はレコード販売会社５０１によって販売されたリードオンリーな光ディスク、５０３は光ディスク５０２に記録されたコンテンツを再生するためのプレーヤ、５０４は記録可能光ディスク５０５にコンテンツを記録するレコーダ、５０５は複製されたコンテンツを記録する記録可能光ディスクである。記録済み光ディスク５０２を複製するために、プレーヤ５０３のデジタルＩ／Ｆ２０７とレコーダ５０４のデジタルＩ／Ｆ２０７は接続されている。プレーヤ５０３とレコーダ５０４はどちらも図２に示した光ディスクドライブであるが、再生、記録といった光ディスクを複製する上での役割の違いから、「プレーヤ」、「レコーダ」と区別して説明している。
【００２０】
最初に、レコード販売会社５０１は、光ディスクのコンテンツ記録領域１０２に暗号化したコンテンツを記録し（１５１１）、ＲＦタグＩＣ１０３または磁気テープ１１２に複製管理装置３０１を用いて複製管理情報４０１を書き込んで（５１１）、記録済み光ディスク５０２として販売する。
複製管理情報４０１の書き込みにおいて、複製管理装置３０１のコントローラ３０２は、ユーザＩ／Ｆ３０３から入力されたコンテンツＩＤ、複製可能回数、暗号鍵、課金情報、許可ＩＤを、複製管理情報アクセス部３０５を介して記録済み光ディスク５０２に書き込む。
ユーザは購入・レンタルなどの方法で記録済み光ディスク５０２を入手し、プレーヤ５０３に挿入する。またレコーダ５０４に記録可能光ディスク５０５を挿入し、プレーヤ５０３とレコーダ５０４に複製開始を指示する。
プレーヤ５０３は複製開始を指示されると、コントローラ２０４が複製管理情報アクセス部２０８に指示して、記録済み光ディスク５０２から複製可能回数を読み出す。コントローラ２０４は、読み出された複製可能回数が１以上であった場合は複製が許可されているものと判断して、読み出した複製可能回数から１減じて、複製管理情報アクセス部２０８を介して記録済み光ディスク５０２に記録する（５１２）。さらに、コントローラ２０４はコンテンツアクセス部２０５を制御して、記録済み光ディスク５０２のコンテンツ記録領域に記録された暗号化コンテンツを読み出して、暗号化されたままデジタルＩ／Ｆ２０７からレコーダ５０４に出力する（１５１４）。
【００２１】
プレーヤ５０３は、さらにコントローラ２０４が、複製管理情報アクセス部２０８を介して記録済み光ディスク５０２から複製管理情報を読み出し、複製可能回数を０に変更して、デジタルＩ／Ｆ２０７からレコーダ５０４に出力する（５１３）。
記録済み光ディスク１５０２から読み出された複製可能回数がすでに０であった場合は、コントローラ２０４が複製許可されていないものと判断して、複製は中断される。
レコーダ５０４は、コントローラ２０４がコンテンツアクセス部２０５を制御して、プレーヤ５０３から入力された暗号化コンテンツを記録可能光ディスク５０５のコンテンツ記録領域に、暗号化されたまま記録する（１５１５）。さらにコントローラ２０４が、複製管理情報アクセス部２０８を介してプレーヤ５０３から入力された複製管理情報を記録可能光ディスク５０５に記録する（５１４）。
次に、レンタル業務店の行う光ディスクのレンタル行為に対して、レコード販売会社が著作権料を回収する手順について説明する。
【００２２】
図６は本実施の形態の、レコード販売会社がレンタル業務店から著作権料を回収する手順を示した図である。図１５または図５と同じ構成要素、手順については同じ番号を付してあり、説明を省略する。
６０１は音楽コンテンツなどを記録した光ディスクを生産するレコード販売会社、５０２はレコード販売会社６０１によって生産されたリードオンリーな光ディスク、６０２は光ディスク５０２を一般消費者であるユーザにレンタルするレンタル業務店である。
最初に、レコード販売会社６０１は、光ディスクのコンテンツ記録領域１０２に暗号化したコンテンツを記録し（１５１１）、ＲＦタグＩＣ１０３または磁気テープ１１２に複製管理装置３０１を用いて複製管理情報４０１を書き込んで（５１１）、記録済み光ディスク５０２としてレンタル業務店６０２に販売する。
レンタル業務店６０２は、複製管理装置３０１を用いて、ユーザが複製を希望する回数である購入複製数を、複製可能回数として記録済み光ディスク５０２に書き込む（６１１）。
【００２３】
ユーザの要望する購入複製数がレンタル業務店６０２のオペレータによって複製管理装置３０１のユーザＩ／Ｆ３０３に入力されると、複製管理装置３０１のコントローラ３０２は、複製管理情報アクセス部３０５を介して記録済み光ディスク５０２の複製管理情報４０１に、複製可能回数４０３として書き込む。また記録済み光ディスク５０２に書き込んだ購入複製数は、コンテンツＩＤごとに購入複製数集計部３０６が集計する（６１２）。このようにして集計された購入複製数は、定期的に複製管理装置３０１のコントローラ３０２によって購入複製数集計部３０６から読み出され、ネットワークＩ／Ｆ３０４を介して、レコード販売会社６０１に報告される。
レコード販売会社６０１は、レンタル業務店６０２から報告された購入複製数をもとに、レンタル業務店６０２に対して課金を行う（６１３）。
ユーザは、レンタルする際に要望した購入複製数だけ、図５に示した手順によって、記録済み光ディスク５０２から複製を行うことが出来る。
【００２４】
次に、ユーザが記録済み光ディスクを再生する手順について説明する。
図７は本実施の形態の、記録済み光ディスクを再生する手順を示した図である。図１５と同じ構成要素、手順については同じ番号を付してあり、説明を省略する。
７０１はコンテンツと複製管理情報の記録された記録済み光ディスク、７０２は記録済み光ディスク７０１に記録されたコンテンツを再生するためのプレーヤである。
最初に、ユーザはプレーヤ７０２に記録済み光ディスク７０１を挿入し、プレーヤ７０２に再生を指示する。
プレーヤ７０２は再生を指示されると、コントローラ２０４が複製管理情報アクセス部２０８を介して記録済み光ディスク７０１の複製管理情報４０１内の暗号鍵４０４を読み出す（７１１）。次に、プレーヤ７０２のコントローラ２０４は、コンテンツアクセス部２０５を制御して、コンテンツ記録領域１０２からコンテンツを読み出し（１５１４）、復号部２０９が暗号鍵４０４を用いて復号化し（７１２）、アナログの音声信号としてアナログＩ／Ｆ２０６から出力する。
ユーザは、記録済み光ディスク７０１がレコード販売会社によって販売されたリードオンリーな光ディスクであっても、図５に示した手順によって複製された光ディスクであっても、区別なく再生できる。
【００２５】
次に、ユーザがレコード販売会社からオンラインで新たに複製可能回数を購入する手順について説明する。
図８は本実施の形態の、ユーザがオンラインで新たに複製可能回数を購入する手順を示した図である。
８０１は音楽コンテンツなどを記録した光ディスクを生産するレコード販売会社、８０２はレコード販売会社８０１によって生産されたリードオンリーな光ディスク、８０３は図２に示した光ディスクドライブである。
最初に、光ディスクドライブ８０３の図示しないユーザＩ／Ｆをユーザが操作して、新たな複製可能回数の購入が指示されるとともに、ユーザが新たに購入を希望する複製可能回数である購入複製数が入力されると、光ディスクドライブ８０３のコントローラ２０４は、複製管理情報アクセス部２０８を制御して光ディスク８０２の複製管理情報４０１内のコンテンツＩＤ４０２を読み出す（８１１）。続いて光ディスクドライブ８０３のコントローラ２０４は、図示しないネットワークＩ／Ｆを介してインターネットなどのネットワークを通じて、レコード販売会社８０１と購入・認証の手続きを行う（８１２、８１３）。まず光ディスクドライブ８０３のコントローラ２０４は、読み出したコンテンツＩＤ４０１とユーザの入力した購入複製数とともに、レコード販売会社８０１に、新たな複製可能回数の購入の依頼を通知する（８１４）。
【００２６】
レコード販売会社８０１は、新たな複製可能回数の購入の依頼通知を受信すると、コンテンツＩＤと購入複製数とから課金情報を生成し、ネットワークを通じて光ディスクドライブ８０３に送信する（８１５）。
光ディスクドライブ８０３は、課金情報８１５を受信すると、コントローラ２０４が図示しないユーザＩ／Ｆを介してユーザに購入の確認を求め、ユーザの購入の意思が確認されるとその旨をレコード販売会社８０１に通知する（８１６）。
レコード販売会社８０１は、光ディスクドライブ８０３から購入確認８１６を受信すると、課金情報８１５にもとづいて課金処理を行い、課金確認を光ディスクドライブ８０３に送信する（８１７）。
このようにしてレコード販売会社８０１と光ディスクドライブ８０３との間で課金・認証処理が完了し、光ディスクドライブ８０３が課金確認８１７を受信すると、光ディスクドライブ８０３のコントローラ２０４は、それまで光ディスク８０２の複製管理情報４０１内に記録されていた複製可能回数４０３に購入複製数を加算し、複製管理情報アクセス部２０８を制御して光ディスク８０２の複製管理情報４０１内に書き込んで更新する（８１８）。
【００２７】
以上の装置構成・手順によって、暗号鍵４０４など複製管理情報４０１は、コンテンツ記録領域１０２とは物理的なアクセス方法の異なる記録領域に記録することにより、複製管理情報４０１へのアクセスを難しくし、コンテンツ記録領域１０２に記録されたコンテンツの不正コピーを防止することが出来る。さらに、光ディスクのコンテンツ記録領域１０２に記録するコンテンツを暗号化することで、コンテンツの不正コピー防止の効果をより向上させることが出来る。
また、複製可能回数４０３として複製を許可する回数を光ディスクに記録し、複製可能回数４０３の示す範囲内で複製を許可し、複製を行うごとに複製可能回数４０３を更新することにより、合法な複製の作成を可能にする。特にレンタル業務店などでは、光ディスクのレンタル時に店舗に設置した複製管理装置３０１で複製可能回数を書き換えることにより、合法な複製の制作回数を管理し、不正コピーを防止することが出来る。さらに複製管理装置３０１は、複製可能回数４０３の書き換え状況を集計するようにしたので、レコード販売会社は、レンタル業務においても複製の制作行為に対して正確な著作権料を回収することが可能となる。またこの複製可能回数４０３の書き換え状況の集計結果は、そのままユーザのコンテンツ利用状況を示しているので、この集計結果を元にレコード販売会社はユーザの好みを迅速かつ正確に知ることができるという効果も得られる。
【００２８】
特に、図１（ａ）に示すように複製管理情報をＲＦタグＩＣに記録し、近距離無線通信によりアクセスする場合においては、光ディスクをプラスチックケースなど電波を通す保護媒体に入れた状態でも複製管理情報へのアクセスが可能になるので、レンタル業務店などではコンテンツの識別や複製管理情報の更新などの作業をケースに入れたまま行え、レンタル業務店などの利便性向上とレンタル業務店利用者の待ち時間短縮などの効果も得られる。
さらに、オンラインで課金・認証した後、複製可能回数４０３を書き換えることにより、ユーザはインターネット接続環境などを準備するだけで、レコード販売会社から合法な複製を作る権利を新たに購入できるようになり、ユーザの利便性が向上する。
なお、本実施の形態では、複製可能回数４０３は光ディスクドライブのコントローラ２０４によって更新後の値が計算され複製管理情報４０１に書き込まれる（５１２、８１８）と説明したが、ＲＦタグＩＣ１０３内の図示しないコントローラによって更新後の値が計算され複製管理情報４０１が更新されるものとしてもよい。
なお、コンテンツを暗号化して記録することにより不正コピーを防止しているので、コンテンツ記録領域１０２へのアクセス方法はＣＤやＤＶＤなど従来の光ディスクを流用することにより、本実施の形態による光ディスクドライブの開発・製造コストを低減し価格の上昇を抑えることが出来るとともに、この本実施の形態による光ディスクドライブは、ＣＤやＤＶＤなど従来の光ディスクをアクセス可能になるので、ユーザの利便性を損なうことはない。
【００２９】
なお、本実施の形態では複製のためにプレーヤとレコーダの２台の光ディスクドライブを使用した例を示したが、１台の光ディスクドライブとパソコンを使用し、光ディスクドライブで読み出したコンテンツを一旦パソコンのハードディスクなどに保存した後、ハードディスクから光ディスクドライブに挿入された記録可能光ディスクに記録してもよい。この場合でも、コンテンツは暗号化されているため、そのままでは再生することが出来ず不正コピーを防止できる。
なお、記録済み光ディスク５０２のコンテンツがデジタル複製に対する制限がないものである場合、レコーダ５０４は、プレーヤ５０３から入力されたコンテンツと複製管理情報４０１をそのまま記録可能光ディスク５０５に記録する。このようにして複製された記録可能光ディスク５０５は、記録済み光ディスク５０２と同じく、再デジタル複製の可能な光ディスクとなる。
なお、記録可能光ディスク５０５は書き込みのできるもの、自由に消去・書き込みができるものなどを含む。また、記録済み光ディスク５０２は、生産時に音楽タイトルや映画タイトルなどのコンテンツをプレスで記録したリードオンリーなものだけでなく、読み書き可能なものでもよい。
なお、復号部２０９で用いる暗号化技術については、ＡＥＳ（Ａｄｖａｎｃｅｄ  Ｅｎｃｒｙｐｔｉｏｎ  Ｓｔａｎｄａｒｄ）など既存の暗号化技術を用いることができる。
【００３０】
（実施の形態２）
以下、本発明の別の実施の形態について、図９から図１３を用いて説明する。
図９は本実施の形態で用いるＩＤデバイスの構成を示した図である。ＩＤデバイスとは、ユーザ認証を行うための固有ＩＤを記録した機器である。ＩＤデバイス９０１は、光ディスクドライブと通信するための無線部９０２、各ＩＤデバイスに固有のＩＤを記録した固有ＩＤ記録部９０３から構成される。
【００３１】
図１０は本実施の形態で用いる光ディスクドライブの構成を示した図である。図２と同じ構成要素については説明を省略し、図２と同じ番号を付してある。図１０に示す光ディスクドライブ１００１は、私的複製認証部１００２を含んで構成される。
私的複製認証部１００２は、ＩＤデバイス９０１から固有ＩＤを取得する固有ＩＤ取得部１００３、許可ＩＤを光ディスクに記録するよう制御する許可ＩＤ記録部１００４、光ディスクから許可ＩＤを読み出し認証を行う許可ＩＤ認証部１００５で構成される。
ユーザが記録済みの光ディスクを複製する手順については、実施の形態１と同じであるので、説明を省略する。
次に、ユーザが光ディスクの私的な複製を作成する手順について説明する。
著作権保護された記録済み光ディスクを所有しているユーザは、その記録済み光ディスクを個人で利用する範囲において複製を行う権利を有するので、まず、記録済み光ディスクに対して所有者であるユーザを識別するための情報を記録する。ここで、ユーザはＩＤデバイス９０１の固有ＩＤによって識別されるので、記録済み光ディスクにこの固有ＩＤを記録することで、記録済み光ディスクとその所有者の対応付けが可能となる。
【００３２】
図１１は本実施の形態の、記録済み光ディスクにその所有者の固有ＩＤを記録する手順を示した図である。図５と同じ構成要素、手順については同じ番号を付してあり、説明を省略する。
１１０１は図１０に示した本実施の形態の光ディスクドライブ、１１０２は図９に示したＩＤデバイスである。
最初に、ユーザは記録済み光ディスク５０２を光ディスクドライブ１１０１に挿入し、光ディスクドライブ１１０１の図示しないユーザＩ／Ｆを操作して固有ＩＤの記録を指示する。
光ディスクドライブ１１０１は、固有ＩＤの記録を指示されると、固有ＩＤ取得部１００３を介してユーザの持つＩＤデバイス１１０２と通信して、固有ＩＤ記録部９０３に記録された固有ＩＤを取得し、これを許可ＩＤとする（１１１１）。さらに、コントローラ２０４が許可ＩＤ記録部１００４を制御して、取得した許可ＩＤを複製管理情報アクセス部２０８を介して記録済み光ディスク５０２の複製管理情報４０１内に、許可ＩＤ４０６として書き込む（１１１２）。
このようにして図１１に示す手順で許可ＩＤ４０６が書き込まれた記録済み光ディスクからは、その所有者が識別できるので、私的な複製を作成することが出来る。つまり複製可能回数４０３を減じることなく、複製を作成することを許可する。
【００３３】
図１２は本実施の形態の、私的な複製を作成する手順を示した図である。図５、図１１または図１５と同じ構成要素、手順については同じ番号を付してあり、説明を省略する。
１２０１は図１１に示した手順で許可ＩＤの記録されたコンテンツ記録済み光ディスク、１２０２は記録済み光ディスク１２０１に記録されたコンテンツを再生するためのプレーヤ、１２０３は複製されたコンテンツを記録する記録可能光ディスクである。許可ＩＤの記録された記録済み光ディスク１２０１を複製するために、プレーヤ１２０２のデジタルＩ／Ｆ２０７とレコーダ５０４のデジタルＩ／Ｆ２０７は接続されている。プレーヤ１２０２とレコーダ５０４はどちらも図１０に示した光ディスクドライブであるが、再生、記録といった光ディスクを複製する上での役割の違いから、「プレーヤ」、「レコーダ」と区別して説明している。
【００３４】
最初に、ユーザは許可ＩＤ４０６を書き込んだ記録済み光ディスク１２０１を、プレーヤ１２０２に挿入する。またレコーダ５０４に記録可能光ディスク１２０３を挿入し、プレーヤ１２０２とレコーダ５０４に複製開始を指示する。
プレーヤ１２０２は複製開始を指示されると、許可ＩＤ認証部１００５が複製管理情報アクセス部２０８を制御して、記録済み光ディスク１２０１から許可ＩＤ４０６を読み出す（１２１１）。許可ＩＤ４０６が読み出せた場合は、固有ＩＤ取得部１００３を介してＩＤデバイス１１０２と通信して固有ＩＤを取得し、許可ＩＤ４０６と固有ＩＤを照合することでＩＤ認証を行う（１２１２）。ＩＤ認証（１２１２）に成功すると、コントローラ２０４はコンテンツアクセス部２０５を制御して、記録済み光ディスク１２０１のコンテンツ記録領域１０２に記録された暗号化コンテンツを読み出して、暗号化されたままデジタルＩ／Ｆ２０７からレコーダ５０４に出力する（１５１４）。
プレーヤ１２０２は、さらにコントローラ２０４が、複製管理情報アクセス部２０８を介して記録済み光ディスク１２０１から複製管理情報４０１を読み出し、複製可能回数を０に変更して、デジタルＩ／Ｆ２０７からレコーダ５０４に出力する（５１３）。
【００３５】
記録済み光ディスク１２０１から、有効な許可ＩＤ４０６が読み出せない場合、あるいは読み出した許可ＩＤ４０６に一致する固有ＩＤを持つＩＤデバイス１１０２が検出できない場合は、コントローラ２０４が私的な複製は許可出来ないものと判断して、図５に示した手順で複製が行われる。
レコーダ５０４は、コントローラ２０４がコンテンツアクセス部２０５を制御して、プレーヤ１２０２から入力された暗号化コンテンツを記録可能光ディスク１２０３のコンテンツ記録領域１０２に、暗号化されたまま記録する（１５１５）。さらにコントローラ２０４が、複製管理情報アクセス部２０８を介してプレーヤ１２０２から入力された複製管理情報を記録可能光ディスク１２０３に記録する（５１４）。
【００３６】
次に、ユーザが記録済み光ディスクを再生する手順について説明する。
図１３は本実施の形態の、記録済み光ディスクを再生する手順を示した図である。図７、図１１、図１２または図１５と同じ構成要素、手順については同じ番号を付してあり、説明を省略する。
１３０１はコンテンツと複製管理情報の記録された記録済み光ディスク、１３０２は光ディスク１３０１に記録されたコンテンツを再生するためのプレーヤである。
【００３７】
最初に、ユーザはプレーヤ１３０２に記録済み光ディスク１３０１を挿入し、プレーヤ１３０２に再生を指示する。
プレーヤ１３０１は再生を指示されると、コントローラ２０４が複製管理情報アクセス部２０８を介して記録済み光ディスク１３０１の複製管理情報４０１内の暗号鍵４０４を読み出す（７１１）。次に、許可ＩＤ認証部１００５が複製管理情報アクセス部２０８を制御して、記録済み光ディスク１３０１から許可ＩＤ４０６を読み出す（１２１１）。許可ＩＤ４０６が読み出せた場合は、固有ＩＤ取得部１００３を介してＩＤデバイス１１０２と通信して固有ＩＤを取得し、許可ＩＤ４０６と固有ＩＤを照合することでＩＤ認証を行う（１２１２）。ＩＤ認証に成功すると、プレーヤ１３０２のコントローラ２０４は、コンテンツアクセス部２０５を制御して、コンテンツ記録領域１０２からコンテンツを読み出し（１５１４）、復号部２０９が暗号鍵４０４を用いて復号化し（１３１１）、アナログの音声信号としてアナログＩ／Ｆ２０６から出力する。
記録済み光ディスク１３０１に、許可ＩＤ４０６が設定されていない場合は、この記録済み光ディスク１３０１は誰でも再生できるものと判断して、許可ＩＤによる認証（１２１２）を行わずに、再生を行う。この場合は実施の形態１の図７に示したのと同じ手順となる。また、読み出した許可ＩＤ４０６に一致する固有ＩＤを持つＩＤデバイス１１０２が検出できない場合は、コントローラ２０４が、この記録済み光ディスク１３０１の所有者以外が再生を行おうとしているものと判断して、再生を中止する。
ユーザは、記録済み光ディスク１３０１がレコード販売会社によって販売されたリードオンリーな光ディスクであっても、図５あるいは図１２に示した手順によって複製された光ディスクであっても、区別なく再生できる。
【００３８】
以上の装置構成・手順によって、暗号鍵４０４など複製管理情報４０１は、コンテンツ記録領域１０２とは物理的なアクセス方法の異なる記録領域に記録することにより、複製管理情報４０１へのアクセスを難しくし、コンテンツ記録領域１０２に記録されたコンテンツの不正コピーを防止することが出来る。さらに、光ディスクのコンテンツ記録領域１０２に記録するコンテンツを暗号化することで、コンテンツの不正コピー防止の効果をより向上させることが出来る。
また、複製可能回数４０３として複製を許可する回数を光ディスクに記録し、複製可能回数４０３の示す範囲内で複製を許可し、複製を行うごとに複製可能回数４０３を更新することにより、合法な複製の作成を可能にする。
さらに、固有ＩＤを許可ＩＤ４０６として記録済み光ディスク５０２、１２０１、１３０１に書き込み、再生時にプレーヤ１２０２、１３０２が記録済み光ディスクに記録されている許可ＩＤ４０６と、ＩＤデバイス１１０２の保持する固有ＩＤを認証することにより、許可されたユーザ以外による再生を制限するので、私的な使用に限った複製を作成することができ、またその複製からの再生を行うことができる。
【００３９】
なお、コンテンツを暗号化して記録することにより不正コピーを防止しているので、コンテンツ記録領域１０２へのアクセス方法はＣＤやＤＶＤなど従来の光ディスクを流用することにより、本実施の形態による光ディスクドライブの開発・製造コストを低減し価格の上昇を抑えることが出来るとともに、この本実施の形態による光ディスクドライブは、ＣＤやＤＶＤなど従来の光ディスクをアクセス可能になるので、ユーザの利便性を損なうことはない。
なお、本実施の形態では複製のためにプレーヤとレコーダの２台の光ディスクドライブを使用した例を示したが、１台の光ディスクドライブとパソコンを使用し、光ディスクドライブで読み出したコンテンツを一旦パソコンのハードディスクなどに保存した後、ハードディスクから光ディスクドライブに挿入された記録可能光ディスクに記録してもよい。この場合でも、コンテンツは暗号化されているため、そのままでは再生することが出来ず不正コピーを防止できる。
なお、記録済み光ディスク１２０１のコンテンツがデジタル複製に対する制限がないものである場合、レコーダ５０４は、プレーヤ１２０２から入力されたコンテンツと複製管理情報４０１をそのまま記録可能光ディスク１２０３に記録する。このようにして複製された記録可能光ディスク１２０３は、記録済み光ディスク１２０１と同じく、再デジタル複製の可能な光ディスクとなる。
なお、記録可能光ディスク１２０３は書き込みのできるもの、自由に消去・書き込みができるものなどを含む。また、記録済み光ディスクは、生産時に音楽タイトルや映画タイトルなどのコンテンツをプレスで記録したリードオンリーなものだけでなく、読み書き可能なものでもよい。
なお、復号部２０９で用いる暗号化技術については、ＡＥＳ（Ａｄｖａｎｃｅｄ  Ｅｎｃｒｙｐｔｉｏｎ  Ｓｔａｎｄａｒｄ）など既存の暗号化技術を用いることができる。
【００４０】
なお、ＩＤデバイス９０１は固有ＩＤを保持するのみの単機能のものとして説明したが、その目的はユーザ認証を行うためのものであるので、実際の製品としての形態は、ユーザが常に身に付けているものが好ましい。具体的には携帯電話、腕時計、財布、キーホルダーなどである。またＩＤデバイスと光ディスクドライブ間の通信は、物理的な接点を有する有線通信のみでなく、無線通信でもよい。ＩＤデバイスの形態が携帯電話や腕時計などであるならば、無線通信が好ましい。さらにユーザは光ディスクドライブの近くにいると想定されるので、遠くにいる別のユーザのＩＤデバイスを排除するためにも、Ｂｌｕｅｔｏｏｔｈ、ＩｒＤＡなどの近距離無線通信が使われることが好ましい。
なお、許可ＩＤの記録時に、光ディスクドライブ１１０１とＩＤデバイス１１０２との無線通信において、複数のＩＤデバイスを検出した場合、光ディスクドライブ１１０１のユーザＩ／Ｆによって正しいＩＤデバイスを選択するなどの手順を設けることが好ましい。プレーヤ１２０２、１３０２としての光ディスクドライブとＩＤデバイス１１０２との無線通信において、複数のＩＤデバイスを検出した場合、それらの中に許可ＩＤと一致するものがあれば認証成功と判断してもよい。
なお、本実施の形態においても、第１の実施の形態に示したのと同様の手順により、レコード販売会社は、レンタル業務店から報告された購入複製数をもとに、レンタル業務店に対して課金することが可能である。またユーザがレコード販売会社からオンラインで新たに複製可能回数を購入することも可能である。
【００４１】
【発明の効果】
以上のように第１の発明によれば、コンテンツと、コンテンツの複製管理を行うための複製管理情報とを格納した光ディスクであって、複製管理情報は、コンテンツとは異なるアクセス方法を用いるようにしたので、複製管理情報へのアクセスを難しくし、コンテンツの不正コピーを防止することが出来る。また、第４の発明によれば、コンテンツと、コンテンツの複製管理を行うための複製管理情報とを格納した光ディスクにアクセスするために、コンテンツにアクセスするコンテンツアクセス手段と、複製管理情報にアクセスする複製管理情報アクセス手段とを有する光ディスク装置において、複製管理情報アクセス手段は、コンテンツアクセス手段とは異なるアクセス方法を用いるようにしたので、複製管理情報へのアクセスを難しくし、コンテンツの不正コピーを防止することが出来る。
さらに第２の発明によれば、第１の発明の効果に加え、コンテンツは、暗号化されて記録されているので、また、第５の発明によれば、第４の発明の効果に加え、コンテンツは、暗号化されて記録されているものであって、コンテンツアクセス手段の読み出したコンテンツを復号化する復号化手段を備えたので、コンテンツアクセス手段の出力するコンテンツのみを複製しても再生することが出来ず、コンテンツの不正コピー防止の効果をより向上させることが出来る。
さらに第３の発明，第６の発明によれば、第１，４の発明の効果に加え、複製管理情報アクセス手段は、無線通信により複製管理情報にアクセスするようにしたので、複製管理情報へのアクセスが容易になり、ユーザの利便性が向上するという効果を得ることが出来る。
【００４２】
さらに第７の発明によれば、第４の発明の効果に加え、複製管理情報は、コンテンツの複製可能回数を含んでいるものであって、複製管理情報アクセス手段は、複製可能回数を読み出し、更新して記録するようにしたので、公知であるオンラインによる課金・認証技術との組み合わせにより、ユーザはインターネット接続環境などを準備するだけで、レコード販売会社から合法な複製を作る権利を新たに購入できるようになり、ユーザの利便性が向上する。
さらに第８の発明によれば、第４の発明の効果に加え、複製管理情報は、コンテンツの所有者を特定するための許可ＩＤを含んでいるものであって、コンテンツの所有者を特定するための固有ＩＤを取得する固有ＩＤ取得手段と、固有ＩＤから許可ＩＤを生成し、許可ＩＤを複製管理情報に記録する許可ＩＤ記録手段とを備えたので、ユーザは私的な使用に限った複製を作成することが出来るようになり、利便性が向上する。
さらに第９の発明によれば、第４の発明の効果に加え、複製管理情報は、コンテンツの所有者を特定するための許可ＩＤを含んでいるものであって、コンテンツの利用者を特定するための固有ＩＤを取得する固有ＩＤ取得手段と、複製管理情報アクセス手段から許可ＩＤを取得し、この許可ＩＤと固有ＩＤ取得手段から取得した固有ＩＤとで認証を行い、認証の成否によって、コンテンツアクセス手段によるコンテンツへのアクセスを制御する許可ＩＤ認証手段とを備えたので、ユーザは私的な使用に限った複製からの読み出しが可能になり利便性が向上するとともに、コンテンツの不正コピーを防止するという効果も得られる。
【００４３】
第１０の発明によれば、コンテンツと、コンテンツの複製管理を行うための複製可能回数を含む複製管理情報とを格納した光ディスクにアクセスする複製管理装置であって、ユーザの希望する複製可能回数を購入複製数として入力するための入力手段と、購入複製数を集計する購入複製数集計手段と、集計した購入複製数を出力する出力手段と、前記購入複製数を複製可能回数として複製管理情報に記録する複製管理情報アクセス手段とを備えたので、複製可能回数の更新を正確に把握でき、コンテンツの著作権料回収などが正確に行えるようになるという効果が得られる。
さらに第１１の発明によれば、第１０の発明の効果に加え、複製管理情報アクセス手段は、無線通信により複製管理情報にアクセスするようにしたので、複製管理情報へのアクセスが容易になり、ユーザの利便性が向上するという効果を得ることが出来る。
【図面の簡単な説明】
【図１】本発明の第１の実施の形態による光ディスクの構成を示す図。
【図２】本発明の第１の実施の形態による光ディスクドライブの構成を示す図。
【図３】本発明の第１の実施の形態による複製管理装置の構成を示す図。
【図４】本発明の第１の実施の形態による複製管理情報の構成を示す図。
【図５】本発明の第１の実施の形態による光ディスクの複製手順を示す図。
【図６】本発明の第１の実施の形態による著作権料回収の手順を示す図。
【図７】本発明の第１の実施の形態による光ディスクの再生手順を示す図。
【図８】本発明の第１の実施の形態による新たに複製可能回数を購入する手順を示す図。
【図９】本発明の第２の実施の形態によるＩＤデバイスの構成を示す図。
【図１０】本発明の第２の実施の形態による光ディスクドライブの構成を示す図。
【図１１】本発明の第２の実施の形態による許可ＩＤの記録手順を示す図。
【図１２】本発明の第２の実施の形態による光ディスクの私的な複製の作成手順を示す図。
【図１３】本発明の第２の実施の形態による光ディスクの再生手順を示す図。
【図１４】従来の光ディスクドライブの構成を示す図。
【図１５】従来の光ディスクの複製手順を示す図。
【符号の説明】
２０１  光ディスクドライブ
２０２  既存ＣＤ−ＲＷ構成部
２０３  複製制御部
２０４  コントローラ
２０５  コンテンツアクセス部
２０６  アナログＩ／Ｆ
２０７  デジタルＩ／Ｆ
２０８  複製管理情報アクセス部
２０９  復号部
【図１】
2004296006.tif 000003
【図２】
2004296006.tif 000004
【図３】
2004296006.tif 000005
【図４】
2004296006.tif 000006
【図５】
2004296006.tif 000007
【図６】
2004296006.tif 000008
【図７】
2004296006.tif 000009
【図８】
2004296006.tif 000010
【図９】
2004296006.tif 000011
【図１０】
2004296006.tif 000012
【図１１】
2004296006.tif 000013
【図１２】
2004296006.tif 000014
【図１３】
2004296006.tif 000015
【図１４】
2004296006.tif 000016
【図１５】
2004296006.tif 000017